(57)【要約】【課題】少なくとも吸音機能を有し、必要に応じて調湿機能を付加できるとともに、施工性が良い壁材ユニットおよびそれを用いた壁面構造を提供することにある。【解決手段】正面中央に開口部１２を有する枠体１１と、前記枠体１１の裏面に固定され、かつ、前記開口部１２に連通する収納部２１を形成する支持体２０と、前記支持体２０の収納部２１に収納される機能性収納材３０と、前記枠体１１の表面を被覆する正面形状を有し、かつ、前記枠体１１の表面に着脱可能に装着される貫通部を有する化粧パネル４０と、からなる壁材ユニット１０である。【選択図】図２
2008308952.tif 000002
【特許請求の範囲】
【請求項１】
正面中央に開口部を有する枠体と、前記枠体の裏面に固定され、かつ、前記開口部に連通する収納部を形成する支持体と、前記収納部に収納される機能性収納材と、前記枠体の表面を被覆する正面形状を有し、かつ、前記枠体の表面に着脱可能に装着される貫通部を有する化粧パネルと、からなる壁材ユニット。
【請求項２】
化粧パネルが、正面正方形であることを特徴とする請求項１に記載の壁材ユニット。
【請求項３】
支持体の外周の少なくとも一部が開口し、収納部が外部に連通していることを特徴とする請求項１または２に記載の壁材ユニット。
【請求項４】
機能性収納材が、吸音機能および調湿機能を備えていることを特徴とする請求項１ないし３のいずれか１項に記載の壁材ユニット。
【請求項５】
化粧パネルが、多数の貫通部を有する板材の表面に、弾性発泡樹脂からなりかつ断面山形に形成した突条の吸音材を並設するとともに、前記吸音材全体を不織布で被覆したことを特徴とする請求項１ないし４のいずれか１項に記載の壁材ユニット。
【請求項６】
化粧パネルの表面が、所定のピッチで貫通孔を設けた透明板で被覆されていることを特徴とする請求項１ないし４のいずれか１項に記載の壁材ユニット。
【請求項７】
請求項１ないし６のいずれか１項に記載の壁材ユニットを、壁体の表面に隣接するように並設したことを特徴とする壁面構造。
【発明の詳細な説明】
【技術分野】
【０００１】
本発明は壁材ユニット、特に、少なくとも吸音機能を備えた壁材ユニット、および、それを用いた壁面構造に関する。
【背景技術】
【０００２】
従来、壁体の表面に隣接するように並設する吸音用壁材ユニットとしては、例えば、パネルユニット式音響調整装置がある（特許文献１参照）。
すなわち、着脱自在な取付構造を具備したパネル状の各種吸音板並びに反射板を、個室の内装面に任意に配列、組み合わせて敷設できるパネルユニット式音響調整装置である。
【０００３】
また、壁体の表面に吸音、音の反射、照明等の機能を備えた各種ユニット部材を適宜組み合わせて構成した壁面構造がある（特許文献２参照）。
【特許文献１】特開昭６０−２０３７５４号公報
【特許文献２】特開平２−２０４５５１号公報
【発明の開示】
【発明が解決しようとする課題】
【０００４】
しかしながら、前者のパネル式音響装置では、特許文献１の第６図に示すように、周枠１３に有孔板１４を固着しているため、グラスウール１５等を交換する場合に周枠１３を取り外す必要があり、必要に応じた調整に手間がかかるとともに、所望の調湿機能も得にくい。
【０００５】
一方、後者の壁面構造では、例えば、特許文献２の第４図（イ）に示すように、断面コ字形のフレーム２４の開口部を吸音板２６で被覆して中空部２５を形成し、前記中空部２５で音を吸音している。しかし、吸音板２６を透過した音を効果的に吸音しにくく、所望の吸音性を備えた壁材ユニット，壁面構造が得にくいという問題点がある。
【０００６】
本発明は、前記問題点に鑑み、少なくとも吸音機能を有し、必要に応じて調湿機能を付加できるとともに、施工性が良い壁材ユニットおよびそれを用いた壁面構造を提供することを課題とする。
【課題を解決するための手段】
【０００７】
本発明にかかる壁材ユニットは、前記課題を解決すべく、正面中央に開口部を有する枠体と、前記枠体の裏面に固定され、かつ、前記開口部に連通する収納部を形成する支持体と、前記収納部に収納される機能性収納材と、前記枠体の表面を被覆する正面形状を有し、かつ、前記枠体の表面に着脱可能に装着される貫通部を有する化粧パネルと、からなる構成としてある。
【発明の効果】
【０００８】
本発明によれば、化粧パネルを透過した音が収納部に収納された機能性収納材に吸収されるので、所望の吸音効果を有する壁材ユニットが得られる。
また、化粧パネルが枠体に着脱可能であるので、施工性に優れているだけでなく、化粧パネル，機能性収納材の交換が容易であり、必要に応じた調整が可能であるとともに、スタイリッシュなインテリアをコーディネイトできる。
【０００９】
本発明にかかる実施形態として、化粧パネルが、正面正方形または正三角形であってもよい。
本実施形態によれば、同一形状の壁材ユニットを多数並設することにより、変化に富んだ壁面構造を形成できる。
【００１０】
本発明にかかる他の実施形態としては、支持体の外周の少なくとも一部が開口し、収納部が外部に連通していてもよい。特に、機能性収納材は、吸音機能および調湿機能を備えていてもよい。
本実施形態によれば、支持体の外周が開口しているので、隣接する支持体の収納部同士を相互に連通させることにより、吸音性だけでなく、吸湿性に優れた壁材ユニットおよび壁面構造が得られる。
【００１１】
本発明にかかる別の実施形態としては、化粧パネルが、多数の貫通部を有する板材の表面に、弾性発泡樹脂からなり、かつ、断面山形に形成した突条の吸音材を並設するとともに、前記吸音材全体を不織布で被覆しておいてもよい。
本実施形態によれば、化粧パネル自体が吸音性を有すると共に、音を拡散させることになるので、より一層優れた音調機能を有する壁材ユニットが得られる。
【００１２】
本発明にかかる壁面構造としては、前述に記載の壁材ユニットを、壁体の表面に隣接するように並設した構成としてある。
本発明によれば、吸音機能に優れ、あるいは、吸音機能および調湿機能に優れているとともに、施工が容易な壁面構造を得られるという効果がある。
【発明を実施するための最良の形態】
【００１３】
本発明にかかる実施形態を図１ないし図６の添付図面に従って説明する。
第１実施形態は、図１に示すように、壁体（図示せず）の表面に複数の壁材ユニット１０を上下左右に隣接させて格子状に並設した場合である。
【００１４】
前記壁材ユニット１０は、図２，図３および図５に示すように、正面正方形の枠体１１と、前記枠体１１の裏面に固定され、かつ、前記枠体１１の開口部１２に連通する収納部２１を形成する支持体２０と、前記支持体２０の収納部２１に収納される機能性収納材３０と、前記枠体１１の表面を被覆する正面形状を有し、かつ、前記枠体１１の表面に着脱可能に装着される透音性化粧パネル４０と、で構成されている。
【００１５】
前記枠体１１は、図２および図５に示すように、中央に正面方形の開口部１２有するとともに、その上下縁部に係合用上端部１３および下端部１４をそれぞれ形成してある。さらに、前記枠体１１は、その室内側の下辺縁部に一対の受け具１５，１５を埋設してネジ止めしてある。
【００１６】
支持体２０は、図５に示すように、前記枠体１１の裏面の両側縁部に沿って対向するように平行に固定されている。また、前記支持体２０は、例えば、前記枠体１１の裏面に沿って固定された正面ロ字形の枠形状、あるいは、有底の箱形状であってもよく、前記枠体１１を支持していればよい。さらに、前記支持体２０は単なる厚手の板形状であってもよく、その中央部に凹所を形成して収納部２１としてもよい。そして、前記支持体２０の材料としては、例えば、合板、木質繊維板、パーティクルボード等の各種木質板状体、または、ロックウール板、グラスウール板、火山性ガラス質複層板等の無機質板状体であってもよい。なお、前記支持体２０は、その見付け面積のうち５０〜８０％を収納部２１にしておくことが好ましい。収納部２１が５０％未満であると、内部に収納する機能性収納材３０の効果が薄れ、８０％を超えると所望の強度を維持することが困難となるからである。
【００１７】
機能性収納材３０は、前記支持体２０が形成する収納部２１内に収納可能で、かつ、少なくとも吸音性能を有していればよく、例えば、マット状の合成樹脂発泡体、不織布、織布、グラスウール、ロックウール、インシュレーションボード等の吸音材であってもよい。また、インシュレーションボード、合成樹脂に活性炭および／またはシリカゲルを練り込んで繊維化した不織布、あるいは、合成樹脂に活性炭および／またはシリカゲルを練り込んで発泡させた合成樹脂発泡体のように、吸音性能と調湿性能とを兼ね備えたマット成型品等であってもよい。さらに、前記機能性収納材３０が、不織布や発泡体のように変形可能な材料であれば、枠体１１の開口部１２よりも大きな面積を有する正面形状とし、前記開口部１２から押し込んで収納部２１内に収納してもよい。
【００１８】
化粧パネル４０は、前記枠体１１の表面を被覆する正面形状を有するとともに、前記枠体１１の表面に着脱可能に装着されるものであり、吸音機能、音反射拡散機能および調湿機能を有していれば好ましいが、少なくとも透音機能を有していればよい。このため、化粧パネルとしては、例えば、図４Ａに示すように、多数の貫通部を形成した合板、インシュレーションボード、ＭＤＦ（中比重ファイバーボード）、ハードボード等の木質系有孔パネル、火山性ガラス質複層有孔板、発泡コンクリート等の低比重の無機質有孔板、成型加工されたプラスチック有孔板、または、アルミ等の金属材からなる有孔板等が挙げられる。そして、前記化粧パネル４０の表面はフラットでもよく、あるいは、表面に様々な凹凸模様を形成しておいてもよい。
【００１９】
また、前記化粧パネル４０の貫通部４１は、湿気、音、光が容易に透過できるものであればよく、その形状は丸孔，角孔等の貫通孔に限定するものでなく、スリットであってもよい。
さらに、湿気、音、光が容易に透過できるのであれば、前記貫通部４１を設けた化粧パネル４０の表面および／または裏面を布，不織布で被覆しておいてもよい。ただし、塩化ビニル、ポリエチレンテレフタレート、オレフィン系等の薄いシート状薄膜で被覆すると、貫通部４１からの音や湿気の透過を妨げるため、前記貫通部４１を被覆するシート状薄膜だけを部分的に除去しておく必要がある。
そして、前記化粧パネル４０は、図４Ｂに示すように、多数の貫通部を有する板状基材の表面に、弾性発泡樹脂からなりかつ断面山形に形成した突条の吸音材４２を並設するとともに、前記吸音材４２の表面を不織布で被覆したものであってもよい。この場合、断面山形に形成した突条のうち、相互に突き付けた部分近傍から透過した音が板状基材の貫通部を通過し、機能性収納材に吸音されるので、好ましい。
なお、化粧パネル４０が金属材であれば、例えば、図４Ｃ，図４Ｄに示すように、押し出し成形した複数本の金属部材４３を一定間隔で平行に並設してスリットを形成してもよい。特に、金属材がアルミ材である場合には、軽量であるので好ましい。また、音を反射，拡散させる場合は、例えば、表面に断面山形の凹凸を突設したり、あるいは、断面三角形状の棒材を所定のピッチで並設して凹凸を形成してもよい。
【００２０】
また、前記化粧パネル４０の化粧性を向上させるため、その表面に着色・塗装を行ってもよく、さらに、化粧パネル４０自体に調湿性能を持たせる場合には、珪藻土やシリカゲル等の調湿材料を塗装しておいてもよい。
【００２１】
前記化粧パネル４０は、その裏面の４辺のうち、隣り合う２辺の縁部に沿って挿入金具４３を取り付けるための取付溝４２（図２Ｂ，２Ｃ）を形成してある。そして、挿入金具４３を取り付けた取付溝４２に対向する対向辺の縁部に一対のラッチ４５を取り付けてある。本実施形態のように、４辺のうち、隣り合う２辺に取付溝４２をそれぞれ設け、いずれか一方に挿入金具４３を装着するとともに、残る他の２辺のいずれかにラッチを前記挿入金具４３に対向するように取り付けておけば、化粧パネル４０の取り付け方向を９０度変更することにより、１種類の化粧パネル４０で異なる意匠の壁面を形成できるという利点がある。
【００２２】
なお、前記化粧パネル４０は、直下の模様等を目視できるように、複数の貫通孔を有する透明プレート（図示せず）で被覆しておいてもよい。前記透明プレートとしては、例えば、アクリル、ポリエステル、ポリカーボネート、ポリアクリレート等の透明樹脂材料が挙げられ、これらは目視を妨げない範囲で所望の色に着色しておいてもよい。
【００２３】
次に、前述の構成部材の組立工程について説明する。
まず、図２Ａに示すように、壁体１に、受け金具２を固定した下横桟部材３を木ネジ止めした後、前記受け金具２に枠板１１の下端部１４を係合するとともに（図２Ｄ）、複数の前記支持体２０，２０同士を隣接するように突き合わせる（図５）。ついで、中間横桟部材５に木ネジ止めした中継金具４を複数枚の前記枠板１１の上端部１３にそれぞれ係合するとともに（図２Ｃ）、前記中間横桟部材５を壁体１に木ネジ止めすることにより、前記枠体１１を壁体１に固定する。さらに、前述と同一の操作を繰り返し、枠体１１を積み上げる。前記中継金具４の上端部に他の複数枚の枠体１１の下端部１４をそれぞれ係合するとともに、前記支持体２０，２０同士を隣接するように突き合わせる。そして、上横桟部材７に木ネジ止めした支持金具６の下端部を前記枠板１１の上端部１３にそれぞれ係合し（図２Ｂ）、前記枠体１１および前記上横桟部材７を壁体１に木ネジ止めする。
【００２４】
そして、図３に示すように、隣り合う枠板１１の間に断面Ｔ字形状の見切り８を装着するとともに、露出する支持体２０，２０の外側面に見切り９ａ，９ｂをそれぞれ装着する。
【００２５】
ついで、前記枠体１１の開口部１２から前記支持体２０の収納部２１に機能性収納材３０を挿入する。そして、図２Ｃに示すように、中継金具４の受け部４ａに、化粧パネル４０の裏面に固定した挿入金具４３の挿入部４３ａを斜め下方から挿入し、ついで、前記化粧パネル４０を枠体１１に押し付けることにより、ラッチ４５が受け具１５に嵌合してロックされる。同様に、図２Ｂに示すように、支持金具６の受け部６ａに、他の化粧パネル４０の裏面に固定した挿入金具４３の挿入部４３ａを斜め下方から挿入し、ついで、前記化粧パネル４０を枠体１１に押し付けることにより、ラッチ４５が受け具１５に嵌合してロックされる。以後、同様に施工して壁材ユニット１０を壁体１に取り付けることにより、吸音性、調湿性に優れた壁面構造が得られる。
【００２６】
そして、化粧パネル４０あるいは機能性収納材３０を交換する場合には、化粧パネル４０の正面のうち、前記ラッチ４５を取り付けた部分を再度押圧し、ロック状態を解除する。ついで、化粧パネル４０の下端縁部を回動させながら、受け具１５からラッチ４５を引き出すとともに、斜め下方に引き下げることにより、中継金具４（支持金具６）の挿入受け部４ａ（６ａ）から挿入金具４３の挿入部４３ａをそれぞれ引き抜いて取り外す。
【００２７】
なお、前述のように、支持体２０および横桟部材３，５，７に金属部材を使用しないのは、以下の理由に基づくものである。
すなわち、室内の壁体１に金属部材を直接取り付けると、急激な室内での温度及び湿気の変化により、金属部材の表面で結露を起こす場合が多い。特に、機能性収納材３０に調湿機能を持たせた場合には、室内側の湿気が集中しやすくなり、結露が発生しやすい。このような場合、壁面に金属部材を直接取り付けると、金属部材の表面に発生した結露により、壁面にシミや変色が発生しやすい。また、金属部材を直接取り付ける場合に壁面に傷がつきやすい。そこで、このような不具合を解消するため、金属製金具の裏面に木製部材を設けて壁面構造を構成してある。ここで「木製」とは、木質材料を主材料としたものを意味し、例えば、木材、合板、ＬＶＬ、パーティクルボード、インシュレーションボード、ＭＤＦ、ハードボード等の木質材料や、木粉とポリエチレン、ポリプロピレン、塩ビ等の合成樹脂と混合した木粉押出樹脂棒状体等が挙げられる。
なお、木製の支持体，横桟部材は、断面略矩形又は略台形であればよく、前面が金属製金具と同一巾寸法であることが望ましい。そして、室内空間から見える部分に装飾用凹凸加工を施しておいてもよい。
【００２８】
また、枠体の内側にＬＥＤを光源とする照明を設けておけば、よりスタイリッシュな空間デザインが可能になる。前記ＬＥＤは発熱が少ないので、機能性収納材としてポリエステル樹脂の不織布，発泡体を用いても、調湿性を妨げることがなく、また、化粧パネルを変形させることもないので、品質の安定した壁材ユニットを提供できるという利点がある。
【００２９】
第２実施形態は、前述の第１実施形態とほぼ同様であり、異なる点を中心に説明する。なお、第１実施形態と同一部分については同一番号を附して説明を省略する。
すなわち、図６に示すように、枠体１１は、巾４００ｍｍ、長さ４００ｍｍの正面正方形の合板の中央部に、巾３００ｍｍ、長さ２５０ｍｍの長方形の開口部１２を設けたものである。そして、前記枠体１１の裏面側の開口縁部に、深さ５０ｍｍの有底箱形状の支持体２０を固定して収納部２１を形成してある。
【００３０】
前記収納部２１に収納する機能性収納材３０は、シリカゲルを練り込んだ調湿機能および吸音機能を有するポリエチレンテレフタレート製不織布からなり、巾３１０ｍｍ、長さ２６０ｍｍ、厚さ５０ｍｍの正面長方形状である。
【００３１】
化粧パネル４０としては、合板の表面にＭＤＦを張り合わせることにより、巾４５０ｍｍ、長さ４５０ｍｍ、厚さ１２ｍｍの基材を得た。そして、前記基材の表面側の外周縁部に面取り加工を施すとともに、直径２０ｍｍの貫通孔３６個を上下左右に格子状に形成した。また、前記貫通孔の表面側開口縁部にアールを形成するとともに、その表面にビニルウレタン系接着剤を介して厚さ０．１５ｍｍのオレフィン系化粧シートを真空ラミネート手法で貼着一体化した。さらに、前記貫通孔を被覆する化粧シートだけを除去する一方、前記基材の裏面に２０ｇ／ｍ２の薄いポリエステル製不織布を貼着した。そして、前記基材の隣り合う２辺のうち、その裏面の外周縁部から内側２０ｍｍの位置に巾２ｍｍの取付溝を設けた。ついで、前記取付溝に押出成形された挿入金具を挿入し、木ネジで固定した。最後に、前記基材の他の残る２辺それぞれに一対の取付孔を設けるとともに、前記挿入金具を取り付けた１辺と対向する対向辺に設けた前記取付孔に、ダボをそれぞれ取り付けることにより、化粧パネル４０を得た。
【００３２】
縦桟部材として縦６０ｍｍ、横６０ｍｍ角で長さ１３７０ｍｍの杉の角材５本を、壁体に縦方向に所定間隔で平行に並設した。さらに、化粧パネルを取り付けるための横桟として縦６０ｍｍ、横６０mm角の杉の角材を、前記縦桟部材間に面一、かつ、格子状に取り付けた。なお、壁内の柱位置を超音波センサーで予め検知しておき、柱位置に対応する前記桟部材を特に長い木ネジで前記桟部材を固定した。
【００３３】
ついで、前記横桟部材のうち、最下方に位置する横桟部材全てに架け渡すようにアルミ製の受け金具を取り付けた。そして、前述の第１実施形態と同様、前記受け金具に複数枚の枠体の下端部を係合して組み付けた。さらに、前記枠体の上端部に中間金具を係合するとともに、前記中間金具を前記横桟部材に木ネジ止めすることにより、前記枠体を固定した。ついで、前記中間金具の上端部に新たな枠体の下端部を係合して位置決めした。以後、同様な操作を繰り返すことにより、枠体を組み付ける。そして、最上方に位置する枠体の上端部に支持金具を係合するとともに、前記支持金具を最上方に位置する横桟部材に木ネジ止めすることにより、枠体を取り付けた。さらに、隣り合う前記枠体間に見切りを装着する。
【００３４】
そして、第１実施形態と同様、枠体の収納部に機能性収納材を収納する。ついで、前記中間金具および支持金具の受け部に、化粧パネルの裏面に固定した挿入金具の挿入部を斜め下方からから挿入するとともに、前記化粧パネルの裏面に取り付けたダボを枠体に設けた受け具に押し込んで取り付ける。以後、同様の操作をくり返し、１２枚の化粧パネルを取り付けることにより、壁材ユニットの取付作業が完了し、吸音性，調湿性に優れた壁面構造が得られる。
【産業上の利用可能性】
【００３５】
本発明にかかる壁体ユニットおよび壁面構造は、前述の正面正方形の壁材ユニットに限らず、例えば、正三角形、長方形、正六角形等の壁材ユニット、および、これらを用いた壁面構造にも適用できるものである。
【図面の簡単な説明】
【００３６】
【図１】本発明にかかる壁材ユニットを使用した壁面構造の実施形態を示す分解斜視図である。
【図２】図２Ａは図１で示した壁面構造の縦断面図、図２Ｂ、図２Ｃおよび図２Ｄは図２Ａの部分拡大図である。
【図３】図１で示した壁面構造の横断面図である。
【図４】図４Ａは図１で示した化粧パネルの正面図、図４Ｂは異なる実施形態の化粧パネルの正面図、図４Ｃ、４Ｄは別の実施形態にかかる化粧パネルの正面図および部分拡大底面図である。
【図５】図１で示した壁材ユニットの枠体および支持体を示す正面図および底面図である。
【図６】図６Ａ，６Ｂおよび６Ｃは本発明にかかる第２実施形態に使用される組み合わせた枠体および支持体の斜視図、左側面図および断面図である。
【符号の説明】
【００３７】
１：壁体
２：受け金具
３：下横桟部材
４：中継金具
４ａ：挿入受け部
５：中間横桟部材
６：挿入金具
６ａ：挿入受け部
７：上横桟部材
８：見切り
９ａ，９ｂ：見切り
１０：壁材ユニット
１１：枠体
１２：開口部
１３：上端部
１４：下端部
１５：受け具
２０：支持体
２１：収納部
３０：機能性収納材
４０：化粧パネル
４１：貫通部
４２：取付溝
４３：挿入金具
４３ａ：挿入部
４５：ラッチ
【図１】
2008308952.tif 000003
【図２】
2008308952.tif 000004
【図３】
2008308952.tif 000005
【図４】
2008308952.tif 000006
【図５】
2008308952.tif 000007
【図６】
2008308952.tif 000008